(57)【特許請求の範囲】
【請求項１】
アンテナからの周波数変調波を選択する高周波同調回路と、受信信号の周波数を中間周波数に変換するための発振信号に同調する局部発振同調回路を備えたＦＭラジオ受信機において、該高周波同調回路と該局部発振同調回路がそれぞれ可変容量ダイオード素子を備え、該高周波同調回路の可変容量ダイオード素子と該局部発振同調回路の可変容量ダイオード素子が共通の同調電圧源に接続され、該高周波同調回路は、その容量可変比が第１の受信帯域と第２の受信帯域を連続して受信できる様に設定され、該局部発振同調回路は、受信する帯域が第１の受信帯域と第２の受信帯域の何れであるかに応じて、第１の受信帯域の時に下側ヘテロダイン方式に、第２の受信帯域の時に上側ヘテロダイン方式に設定される様にインダクタンス値と容量可変比が切り換え可能に形成されることを特徴とするＦＭラジオ受信機。
【請求項２】
アンテナからの周波数変調波を選択する高周波同調回路と、受信信号の周波数を中間周波数に変換するための発振信号に同調する局部発振同調回路を備えたＦＭラジオ受信機において、該高周波同調回路は、同調コイル、該同調コイルに接続された可変容量ダイオード素子を備え、該局部発振同調回路は、タップを有する発振コイル、該発振コイルの第１の端子に接続された可変容量ダイオード素子を備え、該発振コイルの第２の端子と第３の端子がスイッチング手段を介してアースされてインダクタンス値切り換え回路が形成され、該可変容量ダイオード素子に容量素子とスイッチング手段からなる容量可変比切り換え回路が接続され、該高周波同調回路の可変容量ダイオード素子と該局部発振同調回路の可変容量ダイオード素子が共通の同調電圧源に接続され、受信する帯域が第１の受信帯域と第２の受信帯域の何れであるかに応じて該局部発振同調回路のインダクタンス値切り換え回路のスイッチング手段と容量可変比切り換え回路のスイッチング手段をそれぞれ切り換え、第１の受信帯域の時に下側ヘテロダイン方式に、第２の受信帯域の時に上側ヘテロダイン方式に設定されることを特徴とするＦＭラジオ受信機。
【請求項３】
アンテナからの周波数変調波を選択する高周波同調回路と、受信信号の周波数を中間周波数に変換するための発振信号に同調する局部発振同調回路を備えたＦＭラジオ受信機において、該高周波同調回路は、同調コイル、該同調コイルに接続された可変容量ダイオード素子を備え、該局部発振同調回路は、１次側巻線と２次側巻線が直列に接続された発振トランス、該発振トランスの第１の端子に接続された可変容量ダイオード素子を備え、該発振トランスの第２の端子と第３の端子がそれぞれスイッチング手段を介してアースされてインダクタンス値切り換え回路が形成され、該可変容量ダイオード素子に容量素子とスイッチング手段からなる容量可変比切り換え回路が接続され、該高周波同調回路の可変容量ダイオード素子と該局部発振同調回路の可変容量ダイオード素子が共通の同調電圧源に接続され、受信する帯域が第１の受信帯域と第２の受信帯域の何れであるかに応じて該局部発振同調回路のインダクタンス値切り換え回路のスイッチング手段と容量可変比切り換え回路のスイッチング手段をそれぞれ切り換え、第１の受信帯域の時に下側ヘテロダイン方式に、第２の受信帯域の時に上側ヘテロダイン方式に設定されることを特徴とするＦＭラジオ受信機。
【請求項４】
アンテナからの周波数変調波を選択する高周波同調回路と、受信信号の周波数を中間周波数に変換するための発振信号に同調する局部発振同調回路を備えたＦＭラジオ受信機において、該高周波同調回路は、同調コイル、該同調コイルに接続された可変容量ダイオード素子を備え、該局部発振同調回路は、直列に接続された２つの発振コイルを備え、一方の発振コイルの一端に接続された可変容量ダイオード素子を備え、他方の発振コイルの一端をアースし、該２つの発振コイルの共通接続点を選択的にアースするスイッチング手段とでインダクタンス値切り換え回路が形成され、該可変容量ダイオード素子に容量素子とスイッチング手段からなる容量可変比切り換え回路が接続され、該高周波同調回路の可変容量ダイオード素子と該局部発振同調回路の可変容量ダイオード素子が共通の同調電圧源に接続され、受信する帯域が第１の受信帯域と第２の受信帯域の何れであるかに応じて該局部発振同調回路のインダクタンス値切り換え回路のスイッチング手段と容量可変比切り換え回路のスイッチング手段をそれぞれ切り換え、第１の受信帯域の時に下側ヘテロダイン方式に、第２の受信帯域の時に上側ヘテロダイン方式に設定されることを特徴とするＦＭラジオ受信機。
【請求項５】
前記容量可変比切り換え回路は、第１の容量素子に対して、第２の容量素子とスイッチング手段を直列に接続した直列回路が並列に接続されて形成された請求項２、３、４のいずれかに記載されたＦＭラジオ受信機。
【請求項６】
前記容量可変比切り換え回路は、第１の容量素子と第２の容量素子が直列に接続され、該第１の容量素子と第２の容量素子のいずれかにスイッチング手段が並列に接続されて形成された請求項２、３、４のいずれかに記載されたＦＭラジオ受信機。
【請求項７】
前記第１の受信帯域が日本のＦＭラジオ放送帯域であり、前記第２の受信帯域が米国や西欧のＦＭラジオ放送帯域である請求項１、２、３、４、５、６のいずれかに記載のＦＭラジオ受信機。
【発明の詳細な説明】
【０００１】
【発明の属する技術分野】
本発明は、アンテナからの信号を選択する高周波同調回路及び、受信信号の周波数を中間周波数に変換するための発振信号に同調する局部発振同調回路を備えたＦＭラジオ受信機に関する。
【０００２】
【従来の技術】
この種のスーパヘテロダイン方式のＦＭラジオ受信機は、受信希望波の信号を中間周波数と呼ばれる周波数に変換した後、検波・復調される。この中間周波数は、通常、１０．７ＭＨｚが使用される。希望波の信号は、希望波の信号の周波数（すなわち受信周波数）から常に１０．７ＭＨｚ離れた周波数で局部発振回路を発振させ、この局部発振回路の発振周波数と受信周波数とのビート成分で１０．７ＭＨｚの信号を作りだすことにより中間周波数に変換される。この時、局部発振回路を受信周波数よりも１０．７ＭＨｚ高い周波数で発振させて希望波の信号が中間周波数に変換される場合、上側ヘテロダイン方式と呼ばれ、逆に局部発振回路を受信周波数よりも１０．７ＭＨｚ低い周波数で発振させて希望波の信号が中間周波数に変換される場合、下側ヘテロダイン方式と呼ばれる。
ＦＭラジオ受信機を上側ヘテロダイン方式にするか又は、下側ヘテロダイン方式にするかは、それぞれの国によって設定されるＦＭラジオ放送への周波数割当てと、イメージ周波数における妨害信号の状況によって決定される。スーパヘテロダイン方式のＦＭラジオ受信機は、局部発振回路の発振周波数を中心にして受信周波数と反対側に１０．７ＭＨｚ離れた周波数（受信周波数から２１．４ＭＨｚ離れた周波数）、すなわちイメージ周波数に妨害信号がある場合、この妨害信号によってイメージ周波数妨害が発生する。日本の場合、ＦＭラジオ放送の周波数割当ては７６〜９０ＭＨｚであるが、ＦＭラジオ放送の周波数帯より２１．４ＭＨｚ高い周波数にはテレビ放送の２チャンネルが割り当てられている。また、米国の場合、ＦＭラジオ放送の周波数割当ては８８〜１０８ＭＨｚであるが、ＦＭラジオ放送の周波数帯より２１．４ＭＨｚ低い周波数にはテレビ放送の４〜６チャンネルが割り当てられている。従って、これらのテレビ放送の、電界強度が強い信号によるイメージ周波数妨害を避けるため、日本では下側ヘテロダイン方式が、米国や西欧では上側ヘテロダイン方式が採用されている。
【０００３】
次に、従来のＦＭラジオ受信機についてカーラジオ受信機を例に説明する。図６は従来のＦＭラジオ受信機のフロントエンド回路の回路図である。
従来のＦＭラジオ受信機のフロントエンド回路は、アンテナ同調回路６１とＲＦ同調回路６３からなる高周波同調回路、ＲＦ増幅回路６２、局部発振回路を構成する局部発振同調回路６４及び、ミキサー回路６５を備える。アンテナ同調回路６１は、同調コイルＬ９、カソードが共通に接続された１対の可変容量ダイオードＤ１３、Ｄ１４及び、容量素子Ｃ１１を備える。また、ＲＦ同調回路６３は、同調コイルＬ１０、カソードが共通に接続された１対の可変容量ダイオードＤ１５、Ｄ１６及び、容量素子Ｃ１２を備える。局部発振同調回路６４は、発振コイルＬ１１、カソードが共通に接続された１対の可変容量ダイオードＤ１７、Ｄ１８及び、容量素子Ｃ１３を備える。可変容量ダイオードＤ１３、Ｄ１４、Ｄ１５、Ｄ１６、Ｄ１７、Ｄ１８は、同じ電圧対容量特性のものが用いられる。そして、アンテナ同調回路６１、ＲＦ同調回路６３、局部発振同調回路６４の１対の可変容量ダイオードＤ１３、Ｄ１４、Ｄ１５、Ｄ１６、Ｄ１７及びＤ１８に電圧源６６から共通の同調電圧が加えられる。この同調電圧は、一般的に、車のバッテリーを電源とするカーラジオ受信機においてこれらの同調回路に安定して供給し得る１〜８ボルトの範囲内に設定される。
【０００４】
【発明が解決しようとする課題】
このＦＭラジオ受信機を日本に出荷する場合、各同調回路の１対の可変容量ダイオードに加えられる同調電圧内（例えば１〜８ボルト）において、アンテナ同調回路６１とＲＦ同調回路６３が７６〜９０ＭＨｚのＦＭラジオ放送信号に同調し、局部発振同調回路６４がアンテナ同調回路６１とＲＦ同調回路６３の同調周波数よりも１０．７ＭＨｚ低い周波数（すなわち６５．３〜７９．３ＭＨｚ）の発振信号に同調する様に各素子の定数が設定される。
また、このＦＭラジオ受信機を米国に出荷する場合、各同調回路の１対の可変容量ダイオードに加えられる同調電圧内（例えば１〜８ボルト）において、アンテナ同調回路６１とＲＦ同調回路６３が８８〜１０８ＭＨｚのＦＭラジオ放送信号に同調し、局部発振同調回路６４がアンテナ同調回路６１とＲＦ同調回路６３の同調周波数よりも１０．７ＭＨｚ高い周波数（すなわち９８．７〜１１８．７ＭＨｚ）の発振信号に同調する様に各同調回路の各素子の定数が設定される。
この様なＦＭラジオ受信機は、日本に出荷する場合と米国に出荷する場合とで、受信帯域が異なると共に、上側ヘテロダイン方式と下側ヘテロダイン方式の違いにより局部発振回路の発振周波数が大きく異なっているため、表１に示す様に高周波同調回路におけるコイル素子と容量素子の定数と、局部発振同調回路におけるコイル素子と容量素子の定数が大きく異なっている。なお、表１は、いずれの場合も各同調回路の可変容量ダイオードとして、同調電圧を１〜８ボルトまで変えた時に容量値が１２〜２２．５ｐＦまで変わるものを用いて測定したものである。
【表１】
0003790786.tif 000002
従って、従来のＦＭラジオ受信機は、日本向け用と米国向け用を別の製品として設計・製造する必要があるので、設計工数が増大すると共に、ＦＭラジオ受信機に組み込まれる回路素子の管理が煩雑になって生産効率が低下するという問題があった。
本発明は、部品点数を増やすことなく日本のＦＭラジオ放送信号を受信するために必要な回路と米国のＦＭラジオ放送信号を受信するために必要な回路を１つのフロントエンド回路で形成できると共に、それによって設計工数が増大したり、生産効率が低下したりするのを防止できるＦＭラジオ受信機を提供することを目的とする。
【０００５】
【課題を解決するための手段】
本発明は、アンテナからの周波数変調波を選択する高周波同調回路と、受信信号の周波数を中間周波数に変換するための発振信号に同調する局部発振同調回路を備えたＦＭラジオ受信機において、高周波同調回路と局部発振同調回路がそれぞれ可変容量ダイオード素子を備え、高周波同調回路の可変容量ダイオード素子と局部発振同調回路の可変容量ダイオード素子が共通の同調電圧源に接続され、高周波同調回路は、その容量可変比が第１の受信帯域と第２の受信帯域を連続して受信できる様に設定され、局部発振同調回路は、受信する帯域が第１の受信帯域と第２の受信帯域の何れであるかに応じて、第１の受信帯域の時に下側ヘテロダイン方式に、第２の受信帯域の時に上側ヘテロダイン方式に設定される様にインダクタンス値と容量可変比が切り換え可能に形成される。
【０００６】
【発明の実施の形態】
本発明のＦＭラジオ受信機は、アンテナからの周波数変調波を選択する高周波同調回路と、受信信号の周波数を中間周波数に変換するための発振信号に同調する局部発振同調回路を備える。高周波同調回路は、同調コイルと、同調コイルに接続された可変容量ダイオード素子を備え、日本のＦＭラジオ放送帯域と、西欧や米国のＦＭラジオ放送帯域を連続して受信できる様に容量可変比が設定される。局部発振同調回路は、インダクタンス素子とアース間にスイッチング手段を接続してインダクタンス値切り換え回路が形成され、このインダクタンス値切り換え回路に接続された可変容量ダイオード素子に、容量素子とスイッチング手段からなる容量可変比切り換え回路が接続される。高周波同調回路の可変容量ダイオード素子と局部発振回路の可変容量ダイオード素子は、共通の同調電圧源に接続される。そして、このＦＭラジオ受信機が出荷されるのが日本か米国かの何れであるかに応じて局部発振同調回路のインダクタンス値切り換え回路のスイッチング手段と容量可変比切り換え回路のスイッチング手段をそれぞれ切り換える。すなわち、日本に出荷される場合は下側ヘテロダイン方式に設定され、米国や西欧に出荷される場合は上側ヘテロダイン方式に設定される。
【０００７】
【実施例】
以下、本発明のＦＭラジオ受信機の実施例を図１乃至図５を参照しながら説明する。
図１は本発明のＦＭラジオ受信機のフロントエンド回路の第１の実施例を示す回路図である。
図１において、１１はアンテナ同調回路、１２はＲＦ増幅回路、１３はＲＦ同調回路、１４は局部発振同調回路、１５はミキサー回路である。
アンテナ同調回路１１は、同調コイルＬ１、可変容量ダイオードＤ１とＤ２、容量素子Ｃ１を備える。可変容量ダイオードＤ１とＤ２は、カソード同士が接続され、可変容量ダイオードＤ１のアノードが同調コイルＬ１の一端に接続され、可変容量ダイオードＤ２のアノードが同調コイルＬ１の他端に接続される。容量素子Ｃ１は、同調コイルＬ１と並列に接続される。ＲＦ同調回路１３は、タップＴ２を有する同調コイルＬ２、可変容量ダイオードＤ３とＤ４、容量素子Ｃ２を備える。可変容量ダイオードＤ３とＤ４は、カソード同士が接続され、可変容量ダイオードＤ３のアノードが同調コイルＬ２の一端に接続され、可変容量ダイオードＤ４のアノードが同調コイルＬ２の他端に接続される。容量素子Ｃ２は、同調コイルＬ２と並列に接続される。同調コイルＬ２のタップＴ２はアースされる。そして、このアンテナ同調回路１１とＲＦ同調回路１３とで高周波同調回路が形成される。
局部発振同調回路１４は、発振コイルＬ３、可変容量ダイオードＤ５とＤ６を備える。発振コイルＬ３は、タップを設けてコイルＬ３ＡとコイルＬ３Ｂが形成される。そして、発振コイルＬ３の一端がスイッチＳＷ１を介してアースされ、発振コイルＬ３の他端がスイッチＳＷ２を介してアースされる。この発振コイルＬ３とスイッチＳＷ１、ＳＷ２とでインダクタンス値切り換え回路１６が形成される。可変容量ダイオードＤ５とＤ６は、カソード同士が接続され、可変容量ダイオードＤ５のアノードが発振コイルＬ３のタップＴ３に接続され、可変容量ダイオードＤ６のアノードがアースされる。可変容量ダイオードＤ５と発振コイルＬ３のタップＴ３との接続点には、容量可変比切り換え回路１７が接続される。容量可変比切り換え回路１７は、容量素子Ｃ３に、容量素子Ｃ４とスイッチＳＷ３が直列に接続された直列回路が接続されて形成される。
可変容量ダイオードＤ１、Ｄ２、Ｄ３、Ｄ４、Ｄ５、Ｄ６は、同じ電圧対容量特性のものが用いられる。そして、アンテナ同調回路１１の可変容量ダイオードＤ１とＤ２のカソード、ＲＦ同調回路１３の可変容量ダイオードＤ３とＤ４のカソード、局部発振同調回路１４の可変容量ダイオードＤ５とＤ６のカソードは、共通の同調電圧源１８に接続される。
【０００８】
この高周波同調回路は、日本のＦＭラジオ放送帯域の下限の７６ＭＨｚ〜米国のＦＭラジオ放送帯域の上限の１０８ＭＨｚまで受信できる様に回路素子の定数が設定される。このとき、高周波同調回路に必要な容量の可変比は式（１）で表せる。
Ｃｍａｘ／Ｃｍｉｎ＝（Ｆｍａｘ／Ｆｍｉｎ）2                   （１）
ただし、Ｃｍａｘは高周波同調回路の合成容量の最大値、Ｃｍｉｎは高周波同調回路の合成容量の最小値、Ｆｍａｘは同調周波数の最大値、Ｆｍｉｎは同調周波数の最小値である。
この（１）式に同調周波数の上限（すなわち、米国のＦＭラジオ放送帯域の上限）と下限（すなわち、日本のＦＭラジオ放送帯域の下限）を代入すると高周波同調回路の容量の可変比は、それぞれ２．０２となる。この時、可変容量ダイオードの容量の可変比は、高周波同調回路の容量の可変比が同調コイルに接続された容量素子の容量とストレー容量を含んだ合成容量で計算されているので、この高周波同調回路の容量の可変比よりも大きなものが必要となり、２．５以上であることが望ましい。
他方、局部発振同調回路１４は、日本に出荷する場合６５．３〜７９．３ＭＨｚの発振信号に、米国に出荷する場合９８．７〜１１８．７ＭＨｚの発振信号に同調させるので、不連続な２つの帯域の発振信号に同調させるためにインダクタンス値切り換え回路１６に２種類のインダクタンス値が設定される。また、局部発振同調回路１４は、日本に出荷する場合の受信周波数の可変比に対する発振周波数の可変比の比率が１．０２５となる一方、米国に出荷する場合の受信周波数の可変比に対する発振周波数の可変比の比率が０．９８０となり、その差が大きく異なるので、これを調節するために容量可変比切り換え回路１７に２種類の容量値が設定される。
このＦＭラジオ受信機は、可変容量ダイオードＤ１、Ｄ２、Ｄ３、Ｄ４、Ｄ５、Ｄ６に、例えば同調電圧が１〜８ボルトの範囲内で容量可変比が約３．０のものを使用した場合、それぞれの回路素子の定数は表２の様になる。
【表２】
0003790786.tif 000003
この様に設定された高周波同調回路の同調コイルと容量素子の定数は、日本に出荷する場合と米国に出荷する場合でほぼ同じにできるので、使用部品を共通化できる。
次に局部発振同調回路の発振コイルと容量素子の定数は、日本に出荷する場合と米国に出荷する場合で大きく異なっているので、以下に述べる様に定数の切り換えを行う。
【０００９】
即ち、ＦＭラジオ受信機を米国に出荷する場合、局部発振同調回路１４は、インダクタンス値切り換え回路１６のＳＷ１と容量可変比切り換え回路１７のＳＷ３がＯＮに、インダクタンス値切り換え回路１６のＳＷ２がＯＦＦに設定される。この局部発振同調回路１４は、コイルＬ３Ａ、１対の可変容量ダイオードＤ５、Ｄ６、容量素子Ｃ３、Ｃ４によって９８．７〜１１８．７ＭＨｚの発振信号に同調させる。また、日本に出荷する場合、局部発振同調回路１４は、インダクタンス値切り換え回路１６のＳＷ１と容量可変比切り換え回路１７のＳＷ３がＯＦＦに、インダクタンス値切り換え回路１６のＳＷ２がＯＮに設定される。この局部発振同調回路１４は、コイルＬ３Ｂ、１対の可変容量ダイオードＤ５、Ｄ６、容量素子Ｃ３によって６５．３〜７９．３ＭＨｚの発振信号に同調させる。
この様な局部発振同調回路のインダクタンス値と容量可変比の切り換えは、マイクロコンピュータにより出力される受信帯域切り換え信号により、トランジスタ、ダイオード等のスイッチング素子を駆動することで、電子的に制御可能であり、日本、米国のいずれに出荷する場合にも容易に対応できる。
【００１０】
図２は本発明のＦＭラジオ受信機のフロントエンド回路の第２の実施例を示す回路図である。
図２において、２１はアンテナ同調回路、２２はＲＦ増幅回路、２３はＲＦ同調回路、２４は局部発振同調回路、２５はミキサー回路である。
アンテナ同調回路２１とＲＦ同調回路２３は、それぞれ同調コイル、１対の可変容量ダイオード、容量素子を備え、日本のＦＭラジオ放送帯域の下限の７６ＭＨｚ〜米国のＦＭラジオ放送帯域の上限の１０８ＭＨｚまで受信できる様に回路素子の定数が設定される。
局部発振同調回路２４は、タップＴ４を有する発振コイルＬ４、可変容量ダイオードＤ７とＤ８を備える。発振コイルＬ４は、一端がスイッチＳＷ４を介してアースされ、タップＴ４がスイッチＳＷ５を介してアースされる。そして、この発振コイルＬ４とスイッチＳＷ４、ＳＷ５によってインダクタンス値切り換え回路２６が形成される。このインダクタンス値切り換え回路２６は、発振コイルＬ４の他端とタップＴ４間の巻数と、発振コイルＬ４全体の巻数の比により、２つのインダクタンス値を得ている。可変容量ダイオードＤ７とＤ８は、カソード同士が接続され、可変容量ダイオードＤ７のアノードが発振コイルＬ４の他端に接続され、可変容量ダイオードＤ８のアノードがアースされる。可変容量ダイオードＤ７と発振コイルＬ４の接続点には、容量可変比切り換え回路２７が接続される。容量可変比切り換え回路２７は、容量素子Ｃ６とスイッチＳＷ６が直列に接続された直列回路に、容量素子Ｃ５が並列に接続されて形成される。
アンテナ同調回路２１、ＲＦ同調回路２３、局部発振同調回路２４の可変容量ダイオードは、同じ電圧対容量特性のものが用いられる。そして、アンテナ同調回路２１の１対の可変容量ダイオードのカソード、ＲＦ同調回路２３の１対の可変容量ダイオードのカソード、局部発振同調回路２４の１対の可変容量ダイオードのカソードは、共通の同調電圧源に接続される。
この様に形成されたＦＭラジオ受信機を米国に出荷する場合、局部発振同調回路２４は、インダクタンス値切り換え回路２６のスイッチＳＷ５と容量可変比切り換え回路２７のスイッチＳＷ６がＯＮに、インダクタンス値切り換え回路２６のスイッチＳＷ４がＯＦＦに設定される。従って、局部発振同調回路２４は、発振コイルＬ４のタップＴ４までの部分、１対の可変容量ダイオードＤ７とＤ８及び、容量素子Ｃ５、Ｃ６によって形成される。また、日本に出荷する場合、局部発振同調回路２４は、インダクタンス値切り換え回路２６のスイッチＳＷ５と容量可変比切り換え回路２７のスイッチＳＷ６がＯＦＦに、インダクタンス値切り換え回路２６のスイッチＳＷ４がＯＮに設定される。従って、局部発振同調回路２４は、発振コイルＬ４、１対の可変容量ダイオードＤ７とＤ８及び、容量素子Ｃ５によって形成される。
【００１１】
図３は本発明のＦＭラジオ受信機のフロントエンド回路の第３の実施例を示す回路図である。
アンテナ同調回路とＲＦ同調回路は、それぞれ７６ＭＨｚ〜１０８ＭＨｚの周波数変調波を受信できる様に回路素子の定数が設定される。
局部発振同調回路３４は、発振コイルＬ５、Ｌ６及び、カソードが共通接続された１対の可変容量ダイオードＤ９、Ｄ１０を備える。発振コイルＬ５は、一端がスイッチＳＷ７を介してアースされ、他端が発振コイルＬ６に接続される。発振コイルＬ６の他端は、スイッチＳＷ８を介してアースされる。そして、この発振コイルＬ５、Ｌ６及び、スイッチＳＷ７、ＳＷ８によってインダクタンス値切り換え回路３６が形成される。このインダクタンス値切り換え回路３６の発振コイルＬ５と発振コイルＬ６の接続点に、可変容量ダイオードＤ９のアノードが接続される。可変容量ダイオードＤ１０のアノードは、アースされる。
１対の可変容量ダイオードＤ９、Ｄ１０とインダクタンス値切り換え回路３６の接続点には、容量可変比切り換え回路３７が接続される。容量可変比切り換え回路３７は、容量素子Ｃ７と容量素子Ｃ８が直列に接続され、容量素子Ｃ８にスイッチＳＷ９が並列に接続されて形成される。
アンテナ同調回路、ＲＦ同調回路、局部発振同調回路３４の可変容量ダイオードは、同じ電圧対容量特性のものが用いられる。そして、アンテナ同調回路の１対の可変容量ダイオード、ＲＦ同調回路の１対の可変容量ダイオード、局部発振同調回路３４の１対の可変容量ダイオードは、共通の同調電圧源に接続される。
この様に形成されたＦＭラジオ受信機を米国に出荷する場合、局部発振同調回路３４は、インダクタンス値切り換え回路３６のスイッチＳＷ７と容量可変比切り換え回路３７のスイッチＳＷ９がＯＮに、インダクタンス値切り換え回路３６のスイッチＳＷ８がＯＦＦに設定される。また、日本に出荷する場合、インダクタンス値切り換え回路３６のスイッチＳＷ７と容量可変比切り換え回路３７のスイッチＳＷ９がＯＦＦに、インダクタンス値切り換え回路３６のスイッチＳＷ８がＯＮに設定される。従って、局部発振同調回路３４は、米国に出荷する場合、発振コイルＬ５、１対の可変容量ダイオードＤ９、Ｄ１０、容量素子Ｃ７で形成され、日本に出荷する場合、発振コイルＬ６、１対の可変容量ダイオードＤ９、Ｄ１０、容量素子Ｃ７、Ｃ８で形成される。
なお、発振コイルＬ５、Ｌ６は、発振コイルＬ５を形成する巻線と発振コイルＬ６を形成する巻線が共通の磁性体コアに巻回されて１つの素子として形成されてもよいし、それぞれ別の素子として形成されてもよい。
【００１２】
図４は本発明のＦＭラジオ受信機のフロントエンド回路の第４の実施例を示す回路図である。
高周波同調回路は、７６ＭＨｚ〜１０８ＭＨｚの周波数変調波に同調できる様に回路素子の定数が設定される。
局部発振同調回路４４は、直列に接続された発振コイルＬ７、Ｌ８及び、１対の可変容量ダイオードＤ１１、Ｄ１２を備える。
直列に接続された発振コイルＬ７とＬ８は、発振コイルＬ８の一端がアースされ、発振コイルＬ７と発振コイルＬ８の接続点がスイッチＳＷ１０を介してアースされる。そして、この発振コイルＬ７、Ｌ８とスイッチＳＷ１０によってインダクタンス値切り換え回路４６が形成される。１対の可変容量ダイオードＤ１１、Ｄ１２は、インダクタンス値切り換え回路４６の発振コイルＬ７の他端に接続される。１対の可変容量ダイオードＤ１１、Ｄ１２とインダクタンス値切り換え回路４６の接続点には、容量可変比切り換え回路４７が接続される。容量可変比切り換え回路４７は、容量素子Ｃ９と容量素子Ｃ１０が直列に接続され、容量素子Ｃ10にスイッチＳＷ１１が並列に接続されて形成される。
高周波同調回路と局部発振同調回路４４の可変容量ダイオードは、同じ電圧対容量特性のものが用いられる。そして、高周波同調回路の１対の可変容量ダイオード、局部発振同調回路４４の１対の可変容量ダイオードは、共通の同調電圧源に接続される。
この様に形成されたＦＭラジオ受信機を米国に出荷する場合、局部発振同調回路４４は、インダクタンス値切り換え回路４６のスイッチＳＷ１０と容量可変比切り換え回路４７のスイッチＳＷ１１がＯＮに設定される。また、日本に出荷する場合、インダクタンス値切り換え回路４６のスイッチＳＷ１０と容量可変比切り換え回路４７のスイッチＳＷ１１がＯＦＦに設定される。
なお、発振コイルＬ７、Ｌ８は、互いに磁気的に結合しているとＳＷ１０がＯＮに設定された時、発振コイルＬ７が発振コイルＬ８の影響を受けて機能しなくなるので、それぞれ別の素子として形成される。
【００１３】
図５は本発明のＦＭラジオ受信機のトラッキング特性を示した特性図であり、横軸は受信周波数、縦軸はトラッキングエラーを示している。
本発明のＦＭラジオ受信機は、米国に出荷する場合、５１に示す様に上側ヘテロダインに設定され、日本に出荷する場合、５２に示す様に下側ヘテロダインに設定される。
【００１４】
以上、本発明のＦＭラジオ受信機の実施例を述べたが、これらの実施例に限られるものではない。例えば、第１乃至第３の実施例において、インダクタンス値切り換え回路のスイッチ手段は、メカ式スイッチが用いられてもよい。さらに、第３の実施例において、インダクタンス値切り換え回路は、１次巻線と２次巻線が直列に接続された発振トランスを用いて形成されてもよい。
また、容量可変比切り換え回路は、第１の容量素子と第２の容量素子が直列に接続され、第１の容量素子と第２の容量素子のいずれかにスイッチング手段が並列に接続されて形成されてもよい。
また、共通の同調電圧源を用いる代わりに、記憶装置に記録されたデジタルデータに基いて正確に修正された同調電圧を作るＤ/Ａコンバータ回路から、同調電圧がＲＦ同調回路に与えられてもよい。
【００１５】
【発明の効果】
以上述べた様に、本発明のＦＭラジオ受信機は、高周波同調回路の可変容量ダイオード素子と局部発振同調回路の可変容量ダイオード素子が共通の同調電圧源に接続され、高周波同調回路は、その容量可変比が日本のＦＭラジオ放送帯域と米国のＦＭラジオ放送帯域を連続して受信できる様に設定され、出荷先が日本か米国の何れであるかに応じて局部発振同調回路のインダクタンス値と容量可変比を切り換え、日本に出荷される場合は下側ヘテロダイン方式に、米国や西欧に出荷される場合は上側ヘテロダイン方式に設定されるので、日本のＦＭラジオ放送信号を受信するために必要な回路と米国のＦＭラジオ放送信号を受信するために必要な回路を共通の回路素子を用いて形成できる。従って、本発明のＦＭラジオ受信機は、部品点数を増やすことなく日本のＦＭラジオ放送信号を受信するために必要な回路と米国のＦＭラジオ放送信号を受信するために必要な回路を１つのフロントエンド回路で形成できると共に、それによって設計工数が減少し、生産効率が改善される。
【図面の簡単な説明】
【図１】  本発明のＦＭラジオ受信機のフロントエンド回路の第１の実施例を示す回路図である。
【図２】  本発明のＦＭラジオ受信機のフロントエンド回路の第２の実施例を示す回路図である。
【図３】  本発明のＦＭラジオ受信機のフロントエンド回路の第３の実施例を示す回路図である。
【図４】  本発明のＦＭラジオ受信機のフロントエンド回路の第４の実施例を示す回路図である。
【図５】  本発明のＦＭラジオ受信機のトラッキング特性を示した特性図である。
【図６】  従来のＦＭラジオ受信機のフロントエンド回路の回路図である。
【符号の説明】
１１  アンテナ同調回路
１２  ＲＦ増幅回路
１３  ＲＦ同調回路
１４  発振同調回路
１５  ミキサー回路
【整理番号】  Ｔ１１９９００２
【図１】
0003790786.tif 000004
【図２】
0003790786.tif 000005
【図３】
0003790786.tif 000006
【図４】
0003790786.tif 000007
【図５】
0003790786.tif 000008
【図６】
0003790786.tif 000009